(57)【要約】  透過性を有するシート状の基材の面に、蓄光材料を有する蓄光層を印刷により形成する工程と、上記基材及び上記蓄光層のうちの少なくともいずれか一方における面に、上記蓄光層の少なくとも一部と上記基材の厚さ方向に重なるように、光を反射する反射材を含む反射層を印刷により形成する工程と、を備えるシート部材の製造方法である。
2019021378.tif 000002
【特許請求の範囲】
【請求項１】
透過性を有するシート状の基材の面に、蓄光材料を有する蓄光層を印刷により形成する工程と、
前記基材及び前記蓄光層のうちの少なくともいずれか一方における面に、前記蓄光層の少なくとも一部と前記基材の厚さ方向に重なるように、光を反射する反射材を含む反射層を印刷により形成する工程と、を備えるシート部材の製造方法。
【請求項２】
請求項１に記載のシート部材の製造方法において、
前記反射材は、パール顔料及びアルミペーストのうちの少なくともいずれか一方を含む、シート部材の製造方法。
【請求項３】
透過性を有するシート状の基材と、
前記基材の面に設けられ、蓄光材料を有する蓄光層と、
前記基材及び前記蓄光層のうちの少なくともいずれか一方における面において、前記蓄光層の少なくとも一部と前記基材の厚さ方向に重なるように設けられ、光を反射する反射材を少なくとも含む反射層と、を備えるシート部材。
【請求項４】
請求項３に記載のシート部材において、
前記反射層は、前記反射材として、パール顔料及びアルミペーストのうちの少なくともいずれか一方を含む、シート部材。
【請求項５】
透過性を有するシート状の基材と、
前記基材の面に設けられ、蓄光材料を有する蓄光層と、
前記蓄光層における前記基材の位置する側と反対側の面に設けられ、金属蒸着フィルム及びアルミ箔のうちの少なくともいずれか一方を含む反射層と、を備える、シート部材。
【請求項６】
透過性を有するシート状の基材と、
前記基材の面に設けられ、蓄光材料を有する蓄光層と、
前記蓄光層における前記基材の位置する側と反対側の面に設けられ、少なくとも前記蓄光層側の表面が白い紙である反射層と、を備えるシート部材。
【請求項７】
請求項３から請求項６のいずれか１項に記載のシート部材であって、
前記反射層は、当該シート部材における前記蓄光層が設けられた範囲のうちの一部の範囲に設けられている、シート部材。
【請求項８】
請求項３から請求項６のいずれか１項に記載のシート部材であって、
前記蓄光層は、当該シート部材における前記反射層が設けられた範囲のうちの一部の範囲に設けられている、シート部材。
【発明の詳細な説明】
【技術分野】
【０００１】
本開示は、蓄光材料を備えるシート部材に関する。
【背景技術】
【０００２】
従来、特許文献１に示すように、蓄光材料を含むインクを用いて印刷する技術が提案されている。
【先行技術文献】
【特許文献】
【０００３】
【特許文献１】特開２００４−１６７８８９号公報
【発明の概要】
【発明が解決しようとする課題】
【０００４】
蓄光材料の発光は、エネルギーを消費する発光装置の発光と比較してその明るさが小さい。このため、蓄光材料の発光をなるべく明るく視認することができる方法が求められている。【０００５】
本開示の一局面は、蓄光材料による発光を明瞭に視認することができる蓄光シートを提供することが望ましい。
【課題を解決するための手段】
【０００６】
本開示の一つの態様は、シート部材の製造方法であって、透過性を有するシート状の基材の面に、蓄光材料を有する蓄光層を印刷により形成する工程と、上記基材及び上記蓄光層のうちの少なくともいずれか一方における面に、上記蓄光層の少なくとも一部と上記基材の厚さ方向に重なるように、光を反射する反射材を含む反射層を印刷により形成する工程と、を備える。【０００７】
このような製造方法にて製造されるシート部材は、蓄光層により放たれる光が反射層により反射されるため、シート部材を見た者に対して、蓄光層による光を明るく視認させることができる。また印刷により反射層が形成されるため、高い自由度で反射層を形成することができる。その結果、シート部材の一部分のみ明るくしたり、光による模様や形状をシート部材に形成したりすることを容易に実現できる。【０００８】
本開示の他の一つの態様は、透過性を有するシート状の基材と、上記基材の面に設けられ、蓄光材料を有する蓄光層と、上記基材及び上記蓄光層のうちの少なくともいずれか一方における面において、上記蓄光層の少なくとも一部と上記基材の厚さ方向に重なるように設けられ、光を反射する反射材を少なくとも含む反射層と、を備えるシート部材である。【０００９】
このようなシート部材は、蓄光層により放たれる光が反射層により反射されるため、シート部材を見た者に対して、蓄光層による光を明るく視認させることができる。
なお上述した反射材は、パール顔料及びアルミペーストのうちの少なくともいずれか一方を含むものであってもよい。これにより、反射層が蓄光層による光を高度に反射することができる。またシート部材の美観の低下も抑制できる。【００１０】
また本開示のさらに別の態様は、透過性を有するシート状の基材と、上記基材の面に設けられ、蓄光材料を有する蓄光層と、上記蓄光層における上記基材の位置する側と反対側の面に設けられ、金属蒸着フィルム及びアルミ箔のうちの少なくともいずれか一方を含む反射層と、を備える、シート部材である。【００１１】
このようなシート部材は、蓄光層により放たれる光が反射層により反射されるため、シート部材を見た者に対して、蓄光層による光を明るく視認させることができる。
また本開示のさらに別の態様は、透過性を有するシート状の基材と、上記基材の面に設けられ、蓄光材料を有する蓄光層と、上記蓄光層における上記基材の位置する側と反対側の面に設けられ、少なくとも上記蓄光層側の表面が白い紙である反射層と、を備えるシート部材である。【００１２】
このようなシート部材は、上述したシート部材と同様に、シート部材を見た者に対して、蓄光層による光を明るく視認させることができる。
【図面の簡単な説明】
【００１３】
【図１】シート部材の一例を示す側面断面図である。
【図２】シート部材の一例を示す側面断面図である。
【図３】シート部材の一例を示す側面断面図である。
【図４】シート部材の一例を示す平面図である。
【図５】シート部材の一例を示す平面図である。
【図６】グラビア印刷によるシート部材の製造方法を説明する図である。
【図７】シート部材の変形例を示す側面断面図である。
【符号の説明】
【００１４】
１１…基材、１２…蓄光層、１３…反射層、１０１，１０２，１０３，１０４，１０５，１０７…シート部材、２０１，２０２…インク、２１１…圧着ローラー、２１２…版、２１３…ドクターブレード
【発明を実施するための形態】
【００１５】
以下に本開示の実施形態を図面と共に説明する。なお以下の実施形態は本開示の一形態に過ぎず、本開示は以下の実施形態に何ら限定されることはなく、本開示の技術的範囲に属する限り種々の形態をとり得ることはいうまでもない。また図面に開示されるシート部材は模式的なものであって、シート部材の形状及び厚さは図示されるものに限定されることはない。
【００１６】
［１．シート部材の構成］
本開示のシート部材１０１の一例を図１に示す。図１に示されるシート部材１０１は、基材１１と、蓄光層１２と、反射層１３と、を備える。なおシート部材とは、厚みが小さく広さを有する、紙、布、プラスチックフィルム、薄板のような形状の部材である。
【００１７】
シート部材１０１において、蓄光層１２は、基材１１の一方の面に設けられる。また反射層１３は、蓄光層１２における基材１１が位置する側と反対側の面に設けられる。即ちシート部材１０１は、基材１１、蓄光層１２、反射層１３の順に積層している。
【００１８】
＜基材＞
基材１１は、シート状の部材であって、光の透過性を有する。例えば、基材１１を通して後述する蓄光材料が放つ光を視認することができる程度の透過率を、基材１１が有していてもよい。
【００１９】
基材１１の材料としては、例えば、透明又は半透明の薄板状の樹脂やガラスなどを採用することができる。具体的には、基材１１の材料として、ポリプロピレン、ポリエチレン、ポリエステル、ナイロン、塩化ビニル、ポリカーボネート、ポリビニルアルコール、アクリル、セロファン、ポリスチレン、及び和紙などが挙げられる。
【００２０】
＜蓄光層＞
蓄光層１２は、蓄光材料と、蓄光材料を保持する保持材料と、を有する。
蓄光材料は、可視光やＵＶ光などの光や電磁波を蓄え、発光する性質を有する材料である。例えばアルミン酸ストロンチウム（ＳｒＡｌ２Ｏ４など）を主体として、これにセリウム、ユーロピウム、ネオジム、ディスプロシウムなどの発光状態等を変化させるための材料を添加した蓄光材料を用いることができる。しかし、蓄光材料はこれらに限定されない。
【００２１】
保持材料は、蓄光材料を保持すると共に、蓄光材料の蓄光や発光を可能とするために光の透過性を有する材料である。保持材料の例としては、光沢ワニス、艶消しワニス、耐摩ワニス、静電防止ワニス、ブロッキング防止ワニス、乾性油、塗料、及び接着剤などが挙げられる。
【００２２】
＜反射層＞
反射層１３は、少なくとも蓄光層１２側の面が光を反射する。反射層１３の具体的な構成例を以下に挙げる。
【００２３】
（ｉ）反射層１３は、光を反射するように構成された反射材として、パール顔料及びアルミペーストのうちの少なくともいずれか１つを含んだインク層により構成されることができる。
【００２４】
ここで、パール顔料とは、シートに真珠のような光沢を現すための顔料である。例えば、雲母の粒子に二酸化チタンをコーティングしたものが、パール顔料として挙げられる。しかし、パール顔料はこれに限定されない。光の多重反射や干渉現象を利用できるさまざまな顔料をパール顔料に用いることができる。
【００２５】
またインク層とは、パール顔料やアルミペーストを保持する、メジューム等の光の透過性を有する材料で構成される層である。
（ｉｉ）反射層１３は、金属蒸着フィルム、及びアルミ箔のうちの少なくともいずれか一方とすることができる。
【００２６】
金属蒸着フィルムとは、フィルムに蒸着によりアルミニウム等の金属を蒸着したものである。アルミ箔は、アルミニウムでできた箔であるが、アルミニウム単体ではなく、他の素材と組み合わせて構成されたものであってもよい。
【００２７】
（ｉｉｉ）反射層１３として、少なくとも蓄光層１２側の表面が白い紙を用いることができる。例えば、白い紙としては、洋紙、和紙、パールフィルム、乳白フィルムなどが挙げられる。
【００２８】
（ｉｖ）反射層１３として、金属蒸着により形成された金属蒸着層を用いることができる。
［２．反射層の具体的な配置］
蓄光層１２は、基材１１の少なくとも一方の面の少なくとも一部に設けられる。反射層１３は、基材１１及び蓄光層１２のうちの少なくともいずれか一方に、蓄光層１２の少なくとも一部と厚さ方向に重なるように配置される。ここでいう厚さ方向とは、基材１１の厚さ方向、言い換えると基材１１の広がる面と直交する方向である。厚さ方向は、蓄光層１２及び反射層１３の厚さ方向でもある。
【００２９】
例えば、図１に示されるシート部材１０１のように、蓄光層１２と反射層１３とが完全に重なっていてもよい。また例えば、図２に示されるシート部材１０２のように、反射層１３が、蓄光層１２を覆いつつ、蓄光層１２の設けられていない部分にまで設けられていてもよい。また図３に示されるシート部材１０３のように、蓄光層１２の設けられた部分の一部にのみ反射層１３が設けられていてもよい。
【００３０】
反射層１３は、少なくとも蓄光層１２に重ねて配置される部分を有するが、基材１１における蓄光層１２が形成されていない部分にも配置されていてもよい。
以上説明したシート部材の形態は例示にすぎず、シート部材はこれ以外にも様々な構成とすることができる。また、図１〜図３にて例示したシート部材の形態が、１つのシート部材において混在していてもよい。
【００３１】
次に、図４及び図５の平面図を用いてシート部材の形態を説明する。
図４に示されるシート部材１０４には、蓄光層１２が設けられた部分の一部に、模様を形成するように反射層１３が設けられている。このシート部材１０４における蓄光層１２及び反射層１３は、図３のシート部材１０３における蓄光層１２及び反射層１３のような位置関係となる。
【００３２】
このような構成では、反射層１３が設けられた部分においてのみ、蓄光層１２から放たれた光が反射するため明るさが向上し、明るさに変化を与えることができる。シート部材は、反射層によって図形、文字、及び記号などが構成されていてもよい。
【００３３】
図５に示されるシート部材１０５には、図形を形成するように蓄光層１２が設けられ、その部分を覆うように反射層１３が設けられている。言い換えると、反射層１３が設けられた部分の一部に、図柄を形成するように蓄光層１２が設けられている。このシート部材１０５における蓄光層１２及び反射層１３は、図２のシート部材１０２における蓄光層１２及び反射層１３のような関係となる。
【００３４】
この場合は、周囲が明るいときは反射層１３の色味を視認でき、周囲が暗いときは蓄光層１２の放つ光により蓄光層１２の形状を視認することができる。蓄光層１２の放つ光は蓄光層１２の後方に配置される反射層１３により反射されるため、反射層１３が設けられていない場合よりも明確に蓄光層１２の放つ光を視認することができる。シート部材は、蓄光層によって模様、文字、及び記号などが構成されていてもよい。
【００３５】
［３．シート部材の製造］
シート部材の具体的な製造方法は、特に限定されず、例えば蓄光層１２や反射層１３の具体的な構成に合わせた適切な方法を採用することができる。以下に、シート部材を製造するための具体的な工程の例を説明する。
【００３６】
（１）印刷によるシート部材の製造
第１の工程では、基材１１の面に、蓄光層１２を形成する。蓄光層１２は、蓄光材料を含む保持材料を基材１１の面に印刷することで形成できる。
【００３７】
続く第２の工程では、蓄光層における基材１１の位置する側と反対側の面に、反射層を印刷により形成する。印刷による反射層の形成は、上述したように、反射材を含んだインク層により反射層を構成する場合に特に都合がよい。
【００３８】
蓄光層１２を基材１１の上に形成する印刷として、具体的には、グラビア印刷、シルクスクリーン印刷、パッド印刷などが例示される。しかしながら当該印刷は、蓄光材料を含むインクを用いて印刷が可能な様々な方法で可能である。グラビア印刷を行う場合には、セルの大きさを例えば蓄光材料の大きさに合わせて調整することができる。
【００３９】
反射層１３を印刷により形成する場合も、蓄光層１２と同様に、上述したグラビア印刷等による印刷が可能である。もちろん、これ以外の方法によって反射層１３を形成してもよい。
【００４０】
シート部材をグラビア印刷により製造する場合、図６に示すように、まず、蓄光層１２を形成するためのインク２０１（蓄光材料を含むメジューム等）を用い、基材１１に印刷を行う。基材１１の印刷には、圧着ローラー２１１、版２１２及びドクターブレード２１３等を利用できる。この工程後、反射層１３を形成するためのインク２０２を用いて基材１１に印刷することができる。
【００４１】
（２）その他の方法
印刷以外にも、塗布により蓄光層１２や反射層１３を形成しても良い。また、蓄光層１２及び反射層１３を構成するフィルムを作成し、それを基材１１に重ね合わせてもよい。その際には、接着、圧着、及びヒートシールなどにより、基材１１、蓄光層１２、及び反射層１３を一体に形成してもよい。
【００４２】
反射層１３として金属蒸着フィルムを用いる場合、金属蒸着フィルムは、接着、圧着、及びヒートシールなどにより基材１１の上に配置してもよい。
また、反射層１３としてアルミ箔を用いる場合、アルミ箔は、接着、及び圧着などにより基材１１の上に配置してもよい。
【００４３】
なお、上述したように、基材１１の面に反射層１３よりも先に蓄光層１２を配置することができるが、例えばシート状の反射層１３の面に蓄光層１２を配置したシートを、蓄光層１２の設けられた側が基材１１を向くように基材１１に配置してもよい。
【００４４】
［４．効果］
以上詳述した実施形態によれば、以下の効果が得られる。
（４ａ）上述したシート部材は、蓄光層１２により放たれる光が反射層１３により反射されるため、基材１１が設けられる側（図１〜図３においては各図における上側）からシート部材を見た者に対して、蓄光層１２による光を明るく視認させることができる。
【００４５】
（４ｂ）印刷により反射層１３を形成することによって、高い自由度で反射層１３を形成することができる。よって、シート部材の一部分のみ明るくしたり、光による模様や形状をシート部材に形成したりすることを容易に実現できる。
【００４６】
（４ｃ）反射層１３に含まれる反射材としてパール顔料及びアルミペーストのうちのいずれか一方を用いることで、反射層１３が蓄光層１２による光を高度に反射することができる。またシート部材の美観の低下も抑制できる。
【００４７】
（４ｄ）反射層１３として金属蒸着フィルム、アルミ箔、又は金属蒸着層を用いた場合には、反射層１３が光を高度に反射するうえ、蓄光層１２と外部とを遮蔽することができ、蓄光層１２の劣化を抑制できる。
【００４８】
［５．その他の実施形態］
以上本開示の実施形態について説明したが、本開示は、上記実施形態に何ら限定されることはなく、本開示の技術的範囲に属する限り種々の形態をとり得ることはいうまでもない。
【００４９】
（５ａ）基材１１、蓄光層１２、及び反射層１３を構成する各材料は上記実施形態に記載された材料に限定されず、他の材料の追加等、適宜調整を行うことができる。また基材１１、蓄光層１２、及び反射層１３の間に、上述した蓄光層１２及び反射層１３以外の層や物質が配置されていてもよい。例えば、基材１１、蓄光層１２、及び反射層１３のいずれか１つ以上に顔料などの着色剤が含まれていてもよい。また、シート部材が、基材１１、蓄光層１２、及び反射層１３とは別に着色層を設けてもよい。
【００５０】
（５ｂ）上記実施形態では、基材１１の一方の面にのみ蓄光層１２及び反射層１３が配置される構成を例示したが、蓄光層１２は、反射層１３とは基材１１における別の面に配置されていてもよい。
【００５１】
例えば、図７に示すシート部材１０７のように、基材１１の一方の面に蓄光層１２が、他方の面に反射層１３が設けられていてもよい。蓄光層１２及び反射層１３は、印刷などの上述した方法により基材１１に設けることができる。また蓄光層１２及び反射層１３は、少なくとも一部が厚さ方向で重なっていればよく、互いに重ならない部分を有していたり、図４及び図５で示すように模様等を形成していたりしてもよい。
【図１】
2019021378.tif 000003
【図２】
2019021378.tif 000004
【図３】
2019021378.tif 000005
【図４】
2019021378.tif 000006
【図５】
2019021378.tif 000007
【図６】
2019021378.tif 000008
【図７】
2019021378.tif 000009
【国際調査報告】
2019021378.tif 000010
2019021378.tif 000011
2019021378.tif 000012
2019021378.tif 000013